(57)【要約】【課題】野菜室の高さ寸法が低い場合であっても、２段収納を可能とすると共に、キャベツ等の大型野菜を１個丸のまま収納することができる冷蔵庫を提供する。【解決手段】野菜室内に配置される野菜容器と、この野菜容器の上面開口を閉じる野菜容器カバーと、幅寸法が前記野菜容器の幅寸法よりも小さく、野菜容器内に配置することで上下二段の収納場所を形成する小物ケースとを備える。【選択図】　図１
2004020114.tif 000002
【特許請求の範囲】
【請求項１】
野菜室内に配置される野菜容器と、この野菜容器の上面開口を閉じる野菜容器カバーと、幅寸法が前記野菜容器の幅寸法よりも小さく、野菜容器内に配置することで上下二段の収納場所を形成する小物ケースとを備えた冷蔵庫。
【請求項２】
請求項１において、野菜容器が、小物ケースを載置する左右一対の板体を備える冷蔵庫。
【請求項３】
請求項１又は２において、野菜室が、その側壁に野菜容器を前後に摺動させるレールを備え、小物ケースが、前記レールに載置される脚を有した冷蔵庫。
【請求項４】
請求項３において、レールが、小物ケースの底面よりも低い位置に配置された冷蔵庫。
【請求項５】
請求項１乃至４の何れかにおいて、野菜容器が、その背面に小物ケースを挿抜する切欠を備えた冷蔵庫。
【請求項６】
請求項５において、小物ケースが、その底面に切欠に当接する突起を備えた冷蔵庫。
【請求項７】
請求項１乃至６の何れかにおいて、野菜容器カバーが、小物ケースの側壁に沿ったガイドレールを備えた冷蔵庫。
【発明の詳細な説明】
【０００１】
【発明の属する技術分野】
本発明は、冷蔵庫に関する。
【０００２】
【従来の技術】
従来冷蔵庫を図１１及び図１２を用いて説明する。図１１は、従来例を示す冷蔵庫の野菜室容器の斜視図である。図１２は、図１１に示す野菜室容器を用いた冷蔵庫の概略図である。
【０００３】
冷蔵庫１０１は、上段より冷蔵室１０２、野菜室１０３、冷凍室１０４を備え、中央に位置する野菜室１０３には、その内部に野菜室容器１０５が配置されている。野菜室容器１０５は、側版１０５ａ、１０５ｂに金属製の野菜室容器支え枠１０９を備え、この枠により前後に移動して開閉する。
【０００４】
また、野菜室容器１０５の内部は、野菜室容器１０５の全幅に渡って小物ケース１０６が配置されており、この小物ケース１０６の両端フランジ部分が、側壁１０５ａ、１０５ｂの上端に載せられ、小物ケース１０６を前後に移動できるようにしている。野菜室容器１０５への野菜収納は、キャベツ１０８等の大型野菜を収納する場合に、小物ケース１０６を後方へと移動させて収納し、人参、胡瓜等の小物野菜を小物ケース１０６へと収納する。
【０００５】
野菜室容器カバー１０７は、野菜室容器１０５を冷蔵庫１０１内に収納した際に、野菜室容器１０５及び小物ケース１０６の上面を覆い、冷気が直接野菜に吹き付けることを阻止するものであり、野菜を間接冷却すると共に、野菜から蒸発した水分を野菜室容器１０５内に留めるようにしている。
【０００６】
野菜室１０３の冷蔵庫１０１に閉める割合は、比較的大きく、図１２に示すように、野菜室容器１０５を小物ケース１０６により２段にしても、小物ケース１０６の直下にキャベツ１０８等の大型野菜を１個丸ごと収納することができる。尚、このような従来の冷蔵庫としては、例えば特開平３−１１３２７１号公報に記載されている。
【０００７】
【発明が解決しようとする課題】
しかしながら、近年生活様式が徐々に変化し、冷蔵庫は、より大きな冷凍室を有するものが望まれるようになり、冷凍室をより大型化した冷蔵庫が開発されてきている。そして、それら冷凍室が大型化した冷蔵庫では、冷蔵庫を設置する台所スペースの問題から外箱の縦横寸法を大きくすることができず、また、冷蔵庫の使い勝手から、高さ寸法も高くできないことから、冷凍室の大きくなった分だけ野菜室が小さくなっている。
【０００８】
従って、野菜室は、従来例にて説明したような小物ケースを用いて、その全幅を２段とすると、野菜室の高さ寸法が低いことから、小物ケースの直下にキャベツ等の大型野菜を１個丸ごと収納できない問題がある。
【０００９】
本発明の目的は、野菜室の高さ寸法が低い場合であっても、２段収納を可能とすると共に、キャベツ等の大型野菜を１個丸のまま収納することができる冷蔵庫を提供することにある。
【００１０】
【課題を解決するための手段】
上記本発明の目的は、野菜室内に配置される野菜容器と、この野菜容器の上面開口を閉じる野菜容器カバーと、幅寸法が前記野菜容器の幅寸法よりも小さく、野菜容器内に配置することで上下二段の収納場所を形成する小物ケースとを備えることで達成される。
【００１１】
また、野菜容器は、小物ケースを載置する左右一対の板体を備えることが好ましく、野菜室が、その側壁に野菜容器を前後に摺動させるレールを備え、小物ケースが、前記レールに載置される脚を備えることが好ましい。
【００１２】
更に、レールは、小物ケースの底面よりも低い位置に配置することが好ましく、小物ケースを前後に移動させるために、野菜容器が、その背面に小物ケースを挿抜する切欠を備えることが好ましい。そして、小物ケースが、野菜容器から脱落することを防止するために、小物ケースが、その底面に切欠に当接する突起を備えることが好ましい。小物ケースの左右のずれを防止するためには、野菜容器カバーが、小物ケースの側壁に沿ったガイドレールを備えることが好ましい。
【００１３】
【発明の実施の形態】
以下、本発明の詳細を図１〜図１０に示す実施例により説明する。
図２は、本発明の実施例である冷蔵庫の概略正面図である。冷蔵庫１は、上方より冷蔵室２、野菜室３、冷凍室４が順に配設されており、野菜室３の内部には、野菜容器５及びこの野菜容器５の上面を覆う野菜容器カバー７が設けられている。また、野菜容器５は、その内部に小物ケース６を有しており、この小物ケース６が、野菜容器５を上下２段に区画している。但し、小物ケース６は、野菜容器５の幅全域に渡って設けられるものでなく、本実施例では野菜容器５の全幅に対して約２／５の長さに渡り設けている。小物ケース６の幅は、野菜容器５の全幅に渡らないものであれば特に限定されるものでなく、好ましくは野菜容器５の幅の２／３以下であることが好ましい。
【００１４】
小物ケース６は、その幅が野菜容器５の全幅に渡らないので、野菜ケース５の一部のみ二段収納できるようにしている。そのため、野菜容器５には、二段収納となっていない部分ができ、その部分にキャベツ等の大型野菜を収納することができる。
【００１５】
図１は、図２に示す野菜容器の拡大斜視図である。小物ケース６は、その底面が、小物ケース受面５ｆと、立上り部５ｂとに支えられており、特に立上り部５ｂの上端面には、小物ケース６が脱落しないようにガードレール５ｄが設置してある。また、小物ケースの開口周囲には、小物ケース前面フランジ６ｂと同じようにフランジを設けてあり、このフランジが、野菜容器側面５ｅ及び野菜容器背面５ｇの上面部分をスライド移動する。小物ケース受面５ｆは、野菜容器５の成形時に一体成形するものでも、野菜容器５成形後に、野菜容器側面５ｅへと小物ケース受面５ｆを有する板の貼り付けを行ったものでも良い。立上り部５ｂは、板を野菜容器背面５ｇ及び野菜容器底面５ａに接着したものであるが、野菜容器５の成形時に一体成形させても良い。
【００１６】
図３は、図２に示す野菜容器周辺の奥行方向縦断面図である。図６は、図２に示す野菜容器の透視斜視図である。図８は、図２に示す野菜容器周辺の幅方向縦断面図である。以下、図３、図６及び図８を用いて、野菜容器の詳細について説明する。野菜容器５は、野菜容器５を引出さずに庫内に収納していると、野菜容器５の上面開口を野菜容器カバー７により覆われ、野菜から蒸散する水分を野菜容器５内に留めるようになっている。また、野菜容器５は、これを引出すと、野菜容器カバー７が庫内に残り、野菜容器５及び小物ケース６が庫外に出てくる。
【００１７】
小物ケース６は、その底面にストッパ６ｃ及び脚６ａを有しており、ストッパ６ｃは、小物ケース６を庫内方向へ移動させた際に、野菜容器背面５ｇに接することにより、野菜容器５と小物ケース６とが必要以上に離れて、小物ケース６が脱落しないようにしている。
【００１８】
脚６ａは、図７に示す金属製のレール１０へと一体に設けた脚支え１０ａに載せられるもので、野菜容器５が傾かないように支えている。レール１０は、図３に示すように、庫内内箱側面に配置され、野菜容器５が容易に出し入れできるようにしている。また、脚支え１０ａは、水平方向に伸びているが、脚支え１０ａの長さＬ１は、図８に示すように、野菜容器５のフランジ部分長さＬ２と同じ長さにしているので、不必要に野菜容器５の内容積を小さくすることはない。
【００１９】
小物ケース６を野菜容器５の後方へと移動させた際は、小物ケース６の下面が、野菜容器側面５ｅ、立上り部の上面５ｃ及び脚６ａの３点にて支えられている。この３点支持は、小物ケース６に重量物が収納されると、図５に示すように小物ケース６が傾くことが考えられるが、小物ケース前面フランジ６ｂと野菜ケースカバー７とが当接することにより、小物ケース６の傾きを抑制し、重量物が収納されても小物ケースが傾くことがない。尚、小物ケース６は、より安定して移動させるために、野菜容器カバー７の下面に引っ掛け溝を設け、この引っ掛け溝に
小物ケース６を吊り下げることも考えられるが、このようにすると、図４に示すように重量物を収納した際に、野菜容器カバー７が撓み、実用的でない。
【００２０】
図９は、本発明の第２の実施例を示す野菜容器の幅方向断面図である。本実施例では、小物ケース６の底面に突起６ｄを設けてあり、この突起６ｄが、立上り部５ｂの立上り部側面５ｈに接するようにしている。突起６ｄを設けた小物ケース６は、前後に移動させる際に、左右に振動してずれることがなくなり、より容易に移動させることができる。また、突起６ｄは、前述したストッパ６ｃと共用するようにしても良い。
【００２１】
図１０は、小物ケース６を前後に移動させる際に、小物ケース６が左右にずれるのを防止するものとして、ガードレール７ａを野菜容器カバー７に設けている。ガードレール７ａは、小物ケース６のフランジ６ｅに沿って設けられており、小物ケース６がガードレール７ａから外れることがないようにしてある。
【００２２】
本発明の実施例によれば、野菜容器の深さ寸法が短かい場合であっても、小物ケースを野菜容器の全幅に渡るようにしないことで、小物ケースの無い側に大きな野菜を丸ごと収納することができ、野菜容器の底面から突出させた支えにて、小物ケースの底面を支えることにより、小物ケースを設置した部分に、小物野菜を整理して貯蔵することができる。
【００２３】
また、本発明によれば、野菜容器の中に設置した小物ケースを底面前後の２点、後部脚の１点の計３点で支持すると共に、支持されない後部の対角部に相当する前部の上面フランジ部が、野菜容器を覆う野菜室容器カバー裏面に当接させて、小物容器のはね上りを押さえることにより、小物ケースが傾斜して小物ケース内の小物が落下することもなく、前後にスムーズに摺動し野菜容器内の収納物が容易に出し入れできる。
【００２４】
更に、本発明によれば、野菜室容器カバーにガイドレールを成形し、枠体のローラがころがるレールと一体に小物ケースの脚が支えられるレールを一体加工したので、部品点数が少なく安価な冷蔵庫が提供できる。
【００２５】
小物ケースの脚を受けるスライド面が、野菜容器に設けた小物ケース低部のスライド面より、低い位置に設置したことにより、野菜室の扉を閉めて野菜容器が後に移動する時、野菜容器に形成した小物ケースの底面を支える支持面とラップして支持面の下に入り込むので、野菜容器の巾を広く取ることができ、野菜室を広く使用することができる。
【００２６】
野菜室容器の底面中間部に内側に凸状に形成した小物ケース底面受部の突起は、小物ケースと反対側を一段高くしたことにより、小物ケースを前後に移動する際に左右に振れ動くことがなく、スムーズに移動することができる。また、野菜容器のカバーの内側に小物ケース用のガイドレールを形成すると、同様に小物ケースを前後に移動する際に左右に振れ動くことがなくスムーズに移動できる。
【００２７】
小物ケースの底面に野菜容器の背面と当接するストッパを設けると、小物ケースを後方へ移動した時に、小物ケースが野菜容器から外れて落下するのを防ぐことができる。
【００２８】
【発明の効果】
本発発明によれば、野菜室の高さ寸法が低い場合であっても、２段収納を可能とすると共に、キャベツ等の大型野菜を１個丸のまま収納することができる冷蔵庫を提供することができる。
【図面の簡単な説明】
【図１】本発明の実施例である野菜容器の拡大斜視図である。
【図２】本発明の実施例である冷蔵庫の概略正面図。
【図３】図２に示す野菜容器周辺の奥行方向縦断面図。
【図４】本発明の検討に当たり考えられた野菜容器の断面図。
【図５】本発明の検討に当たり考えられた他の野菜容器の断面図。
【図６】図２に示す野菜容器の透視斜視図。
【図７】図３に示すレールの拡大斜視図。
【図８】図２に示す野菜容器周辺の幅方向縦断面図。
【図９】本発明の第２実施例を示す野菜容器の縦断面図。
【図１０】本発明の第３実施例を示す野菜容器の縦断面図。
【図１１】従来例を示す冷蔵庫の野菜室容器の斜視図。
【図１２】図１１に示す野菜室容器を用いた冷蔵庫の概略図。
【符号の説明】
１…冷蔵庫、２…冷蔵室、３…野菜室、４…冷凍室、５…野菜容器、５ａ…野菜容器底部、５ｂ…立上り部、５ｃ…立上り部の上面、５ｄ…ガードレール、５ｅ…野菜容器側面、５ｆ…小物ケース受面、５ｇ…野菜容器背面、５ｈ…立上り部側面、６…小物ケース、６ａ…脚、６ｂ…小物ケース前方フランジ、６ｃ…ストッパ、６ｄ…突起、６ｅ…フランジ、７…野菜容器カバー、７ａ…ガードレール、８…キャベツ。９…野菜容器支え枠、９ａ…ローラ、１０…レール、１０ａ…脚支え、１０１…冷蔵庫、１０２…冷蔵室、１０３…野菜室、１０４…冷凍室、１０５…野菜室容器、１０５ａ…側板、１０５ｂ…側板、１０６…小物ケース、１０７…野菜室容器カバー、１０８…キャベツ、１０９…野菜容器支え枠
【図１】
2004020114.tif 000003
【図２】
2004020114.tif 000004
【図３】
2004020114.tif 000005
【図４】
2004020114.tif 000006
【図５】
2004020114.tif 000007
【図６】
2004020114.tif 000008
【図７】
2004020114.tif 000009
【図８】
2004020114.tif 000010
【図９】
2004020114.tif 000011
【図１０】
2004020114.tif 000012
【図１１】
2004020114.tif 000013
【図１２】
2004020114.tif 000014